(57)【要約】  体液試料中の検体の判定において、電気化学式分析試験ストリップと共に使用するための手持ち式検査計は、ハウジングと、ハウジング内に少なくとも部分的に配設され、電気化学式分析試験ストリップを受容するように構成された、ストリップ口接続部と、ハウジング内に配設され、マイクロコントローラコマンド信号を発生させるように構成された、マイクロコントローラと、ハウジング内に配設され、マイクロコントローラコマンド信号に基づいて、バイアス駆動信号を発生させるように構成された、電極バイアス駆動回路ブロックと、ハウジング内に配設され、少なくとも１つの検知された電極電圧を受信し、検知された電極電圧に基づいて、電極バイアス駆動回路ブロックからのバイアス駆動信号を調節して、調節されたバイアス駆動信号を生成するように構成された、動的バイアス駆動調節回路ブロックと、を備える。【選択図】図１
2019500610.tif 000002
【特許請求の範囲】
【請求項１】
体液試料中の検体の判定において、手持ち式検査計と共に使用するための電気化学式分析試験ストリップであって、前記電気化学式分析試験ストリップは、
電気絶縁性ベース層と、
前記電気絶縁性ベース層の上に配設され、少なくとも１つの電極を含む、パターン化導電層と、
前記少なくとも１つの電極の上に配設された酵素試薬層と、
パターン化スペーサ層と、
最上層と、を備え、
前記パターン化導電層は、
複数の電極と、
前記複数の電極のうちの少なくとも１つの電極の電極電圧を検知するように構成された少なくとも１つの電極電圧検知接続部と、
複数の電極トラックと、
手持ち式検査計に対する検知された電極電圧の動作可能な通信のために構成された少なくとも１つの電極電圧検知接続トラックと、を含む、電気化学式分析試験ストリップ。
【請求項２】
前記複数の電極は、
第１の作用電極と、
第２の作用電極と、
基準電極と、を含む、請求項１に記載の電気化学式分析試験ストリップ。
【請求項３】
前記少なくとも１つの電極電圧検知接続部は、
前記第１の作用電極と電気的に連通している第１の電極電圧検知接続部と、
前記第２の作用電極と電気的に接続している第２の電極電圧検知接続部と、
前記基準電極と電気的に接続している第３の電極電圧検知接続部と、を含む、請求項２に記載の電気化学式分析試験ストリップ。
【請求項４】
前記パターン化導電層は、炭素含有材料を含む、請求項１に記載の電気化学式分析試験ストリップ。
【請求項５】
複数の電圧検知接続部のそれぞれは、１０ｍｍ未満の距離で、前記電極のうちの単一の電極に電気的に接続されている、請求項１に記載の電気化学式分析試験ストリップ。
【請求項６】
複数の電極電圧検知接続部のそれぞれは、
電極電圧検知トラックと、
電極電圧検知パッドと、を含む、請求項１に記載の電気化学式分析試験ストリップ。
【請求項７】
前記電極検知トラックの電圧降下は、関連する電極における電圧降下と比較して重要ではない、請求項６に記載の電気化学式分析試験ストリップ。
【請求項８】
前記体液試料は、全血試料であり、前記検体は、グルコースである、請求項１に記載の電気化学式分析試験ストリップ。
【請求項９】
体液試料中の検体の判定において、電気化学式分析試験ストリップと共に使用するための手持ち式検査計であって、前記手持ち式検査計は、
ハウジングと、
前記ハウジング内に少なくとも部分的に配設され、電気化学式分析試験ストリップを受容するように構成された、ストリップ口接続部と、
前記ハウジング内に配設され、マイクロコントローラコマンド信号を発生させるように構成された、マイクロコントローラと、
前記ハウジング内に配設され、前記マイクロコントローラコマンド信号に基づいて、バイアス駆動信号を発生させるように構成された、電極バイアス駆動回路ブロックと、
前記ハウジング内に配設され、少なくとも１つの検知された電極電圧を受信し、前記少なくとも１つの検知された電極電圧に基づいて、前記電極バイアス駆動回路ブロックからのバイアス駆動信号を調節して、調節されたバイアス駆動信号を生成するように構成された、自動バイアス駆動調節回路ブロックと、を備える、手持ち式検査計。
【請求項１０】
前記電極バイアス駆動回路ブロックは、デジタル−アナログ変換器（ＤＡＣ）である、請求項９に記載の手持ち式検査計。
【請求項１１】
前記自動バイアス駆動調節回路ブロックは、少なくとも１つの閉ループ誤差増幅回路を含む、請求項９に記載の手持ち式検査計。
【請求項１２】
前記自動バイアス駆動調節回路ブロックは、２つの閉ループ誤差増幅回路を含む、請求項９に記載の手持ち式検査計。
【請求項１３】
前記自動バイアス駆動調節回路ブロックは、誤差増幅器と、トランスインピーダンス増幅器と、２つの異なる増幅器と、を含む、請求項９に記載の手持ち式検査計。
【請求項１４】
前記手持ち式検査計は、前記電気化学式分析試験ストリップに適用された全血試料中のグルコースの判定のために構成されている、請求項９に記載の手持ち式検査計。
【発明の詳細な説明】
【技術分野】
【０００１】
本発明は、全般的には、医療用装置に関し、特に、医療用装置と共に使用するための電気化学式分析試験ストリップ及び手持ち式検査計に関する。
【背景技術】
【０００２】
流体試料中の検体の判定（例えば、検出及び／又は濃度測定）又は流体試料の特性の提要は、医療分野において特に関心が持たれている。例えば、体液（例えば、尿、血液、血漿、又は間質液）の試料中のグルコース、ケトン体、コレステロール、リポタンパク質、トリグリセリド、アセトアミノフェン、ヘマトクリット、及び／又はＨｂＡ１ｃ濃度を測定することが所望され得る。こうした判定は、例えば、視覚的、測光的、又は電気化学的技法に基づいた分析試験ストリップを、手持ち式検査計と共に使用することで遂行することができる。従来の電気化学式分析試験ストリップは、例えば、いずれも全体が参照により本明細書に援用されている米国特許第５，７０８，２４７号及び米国特許第６，２８４，１２５号に記載されている。
【０００３】
添付の図面は、本明細書に援用され、本明細書の一部を構成するものであるが、本発明の現時点で好ましい実施形態を例示し、前述の概要及び後述の詳細な説明と共に、本発明の特徴を説明する役割を果たすものである。
【図面の簡単な説明】
【０００４】
【図１】本発明の実施形態による電気化学式分析試験ストリップの簡易分解斜視図である。
【図２】酵素試薬層の場所が破線で示されている、図１の電気化学式分析試験ストリップのパターン化導体層及び基材層の簡易平面図である。
【図３】本発明の実施形態による、手持ち式検査計の簡易平面図である。
【図４】図４の手持ち式検査計の簡易ブロック図である。
【図５】本発明の実施形態で利用可能な、単一の作用電極（ＷＥ）及び基準電極（ＲＥＦ）対のための自動バイアス駆動調節回路ブロックの簡易概略図である。
【発明を実施するための形態】
【０００５】
以下の詳細な説明は、図面を参照しながら読まれるべきものであり、異なる図面における同様の要素には同一の番号が付けられている。図面は、必ずしも一定の縮尺ではなく、単に説明の目的のために例示的な実施形態を図示するものであり、本発明の範囲を制限することを意図するものではない。詳細な説明は、本発明の原理を限定ではなく一例として例証するものである。この説明により、当業者による本発明を実施すること及び使用することが明確に可能になり、本発明を実施する最良の形態であると現時点において考えられるものを含む、本発明のいくつかの実施形態、適用例、変形例、代替例、及び使用が説明される。
【０００６】
本明細書で使用する場合、任意の数値又は数値の範囲についての「約」又は「およそ」という用語は、構成要素又は構成要素の集合が、本明細書で述べる意図された目的に沿って機能することを可能とするような好適な許容範囲を示すものである。
【０００７】
体液試料（例えば、全血試料）中の検体（例えば、グルコース）の判定において手持ち式検査計と共に使用するための電気化学式分析試験ストリップは、電気絶縁性ベース層と、電気絶縁性ベース層上に配設されたパターン化導電層と、酵素試薬層と、パターン化スペーサ層と、最上層と、を備える。パターン化導電層は、少なくとも１つの電極（例えば、２つの電極、つまり、作用電極及び基準電極）と、少なくとも１つの電極における電圧を検知するように構成された少なくとも１つの電極電圧検知接続部（例えば、作用電極電圧検知接続部及び基準電極電圧検知接続部）と、少なくとも１つの電極トラックと、少なくとも１つの電極電圧検知接続トラックと、を含む。更に、電極電圧検知接続部は、少なくとも１つの電極電圧検知接続部を介して、関連する手持ち式検査計に対する検知された電極電圧の動作可能な通信のために構成される。
【０００８】
本発明の実施形態による電気化学式分析試験ストリップは、電極電圧検知接続部及び電極電圧検知接続トラックを、（本明細書に記載の）関連する手持ち式検査計によって用いて、電気化学式分析試験ストリップに対する有害な（複数の）電圧降下を測定することができるという点において有益である。その後、このような測定された（複数の）電圧降下を手持ち式検査計が用いて、電気化学式分析試験ストリップに印加された（複数の）電圧バイアス駆動を手持ち式検査計によって自動的に（例えば、動的に）調節することができる。このような自動調節の結果、有益なことに、本発明の電気化学式分析試験ストリップ及び手持ち式検査計の実施形態を正確に使用するために、電極トラックの抵抗及び寸法公差がさほど重要ではなくなる。
【０００９】
図１は、本発明の実施形態による電気化学式分析試験ストリップ１０の簡易分解斜視図である。図２は、酵素試薬層の場所が破線で示されている、電気化学式分析試験ストリップ１０のパターン化導体層及び基材層の簡易平面図である。図３は、本発明の実施形態による手持ち式検査計１００の簡易平面図である。図４は、手持ち式検査計１００の簡易ブロック図である。図５は、本発明の手持ち式検査計の実施形態で用いられることが可能な、単一の作用電極（ＷＥ）及び基準電極（ＲＥＦ）対のための電極バイアス調節回路ブロックの簡易概略図である。
【００１０】
図１及び図２を参照して、体液試料（例えば、全血試料）中の検体（例えば、グルコース）の判定のための電気化学式分析試験ストリップ１０は、電気絶縁性ベース層１２と、パターン化導電層１４と、内部を通る開口部１７を有するパターン化絶縁層１６と、酵素試薬層１８と、パターン化スペーサ層２０と、部分２４ａ、２４ｂを有する、親水性副層２２及び上面テープ２４からなる最上層と、を備える。
【００１１】
図１及び図２の実施形態では、少なくともパターン化スペーサ層及び最上層は、電気化学式分析試験ストリップ１０内の試料受容チャンバ２５を画定する。
【００１２】
電気化学式分析試験ストリップ１０は、体液試料中の検体の判定において、手持ち式検査計（例えば、本明細書に記載の、本発明の実施形態による、手持ち式検査計）と共に使用するために構成されている。例えば、図３、図４、及び図５に関して記載された手持ち式検査計を参照。
【００１３】
電気絶縁性ベース層１２は、例えば、ナイロンベース層、ポリカーボネートベース層、ポリイミドベース層、ポリ塩化ビニルベース層、ポリエチレンベース層、ポリプロピレンベース層、グリコール変性ポリエステル（ＰＥＴＧ）ベース層、又はポリエステルベース層などの、当業者に既知の任意の好適な電気絶縁性ベース層とすることができる。電気絶縁性ベース層は、例えば、約５ｍｍの幅寸法、約２７ｍｍの長さ寸法、及び約０．５ｍｍの厚さ寸法を含む、任意の好適な寸法を有することができる。
【００１４】
電気絶縁性ベース層１２は、取り扱いを容易にするための構造を電気化学式分析試験ストリップ１０に与えると共に、後に形成される層（例えば、パターン化導電体層、及び本明細書に記載され、本発明による、酵素試薬層のインクジェット印刷又はスクリーン印刷により形成された酵素試薬）を適用（例えば、印刷又は堆積）するためのベースとしての役割を果たす。
【００１５】
パターン化導電層１４は、電気絶縁性ベース層１２の上に配設され、第１の電極１４ａと、第２の電極１４ｂと、第３の電極１４ｃと、を含む。第１の電極１４ａ、第２の電極１４ｂ、及び第３の電極１４ｃは、それぞれ、例えば、対向／基準電極、第１の作用電極及び第２の作用電極として構成されてもよい。したがって、第２及び第３の電極は、本明細書においては作用電極１４ｂ及び１４ｃとも呼ばれ、第１の電極は、対向電極１４ａとも呼ばれる。単なる説明の目的のために、電気化学式分析試験ストリップ１０は、合計で３個の電極を含むものとして図示されているが、本発明の実施形態を含む電気化学式分析試験ストリップの実施形態は、任意の好適な数の電極を含むことができる。
【００１６】
パターン化導電層１４はまた、それぞれ、対向／基準電極、第１の作用電極、及び第２の作用電極において電極電圧を検知するように構成された、第１の電極電圧検知接続部１４ｄと、第２の電極電圧検知接続部１４ｅと、第３の電極電圧検知接続部１４ｆと、を含む。
【００１７】
パターン化導電層１４はまた、手持ち式検査計に対する第２の電極電圧の動作可能な通信のために構成された複数の電極接続トラック１４ｇを含む。
【００１８】
パターン化導電層１４は、例えば、カーボンインクを含む導電性炭素系材料を含む任意の好適な導電性材料で形成することができる。本発明の実施形態による電気化学式分析試験ストリップに用いられるパターン化導電性層は、任意の好適な形状とすることができ、例えば、金属材料及び導電性炭素材料などの任意の好適な材料で形成することができることに留意されたい。
【００１９】
図１及び図２を参照すると、第１の電極１４ａ、第２の電極１４ｂ、及び第３の電極１４ｃ、並びに酵素試薬層１８は、電気化学式分析試験ストリップ１０が、試料受容チャンバ２５を充填した体液試料（例えば、全血試料など）中の検体（例えば、グルコースなど）を電気化学的に判定するように構成されるように配設されている。
【００２０】
酵素試薬層１８は、パターン化導電体層１４の少なくとも一部の上に配設されている（酵素試薬層１８の配設が破線で示される図２を参照）。いったん本開示を知らされた当業者は、様々な好適な酵素試薬が当業者に既知であることを認識するだろう。試薬層全般及び電気化学式分析試験ストリップ全般に関する更なる詳細は、米国特許第６，２４１，８６２号及び同第６，７３３，６５５号に記載されており、これらの内容全体が参照により本明細書に援用されている。
【００２１】
図１及び図２を参照すると、パターン化絶縁層１６は、市販のスクリーン印刷可能な誘電性インクなどの任意の好適な電気絶縁性の誘電材料で形成することができる。
【００２２】
パターン化スペーサ層２０は、例えば、Ａｐｏｌｌｏ  Ａｄｈｅｓｉｖｅｓ（Ｔａｍｗｏｒｔｈ，Ｓｔａｆｆｏｒｄｓｈｉｒｅ，ＵＫ）から市販されているスクリーン印刷可能な感圧接着剤から形成することができる。図１及び２の実施形態では、パターン化スペーサ層２０が、試料受容チャンバ２５の外壁を画定している。パターン化スペーサ層２０は、例えば、およそ１１０マイクロメートルの厚さを有してもよく、非導電性であってもよく、上面と下面にアクリル系感圧性接着剤を有するポリエステル材料で形成してもよい。
【００２３】
最上層２４は、例えば、流体試料（例えば、全血試料）による電気化学式分析試験ストリップ１０の濡れ及び充填を促進する親水性を有する透明フィルムであってもよい。かかる透明フィルムは、例えば、３Ｍ（Ｍｉｎｎｅａｐｏｌｉｓ，Ｍｉｎｎｅｓｏｔａ，Ｕ．Ｓ．Ａ．）及びＣｏｖｅｍｅ（Ｓａｎ  Ｌａｚｚａｒｏ  ｄｉ  Ｓａｖｅｎａ，Ｉｔａｌｙ）から市販されている。最上層２４は、例えば、１０度未満の親水性接触角をもたらす界面活性剤でコーティングされたポリエステルフィルムであってもよい。最上層２４はまた、界面活性剤でコーティングされるか、又は他の表面処理を施されたポリプロピレンフィルムであってもよい。そのような状況では、界面活性剤コーティングは、親水性副層２２としての役割を果たす。最上層２４は、厚さを、例えば、およそ１００μｍとすることができる。
【００２４】
電気化学式分析試験ストリップ１０は、例えば、図１に図示された層を順次位置合わせして成形することにより製造できる。そのような順次位置合わせして成形することを実行する際には、例えば、スクリーン印刷、インクジェット印刷、フォトリソグラフィ、グラビア印刷、化学蒸着、及びテープ積層法などをはじめとする、当業者に既知の任意の好適な技法を使用できる。しかしながら、本発明の実施形態による酵素試薬は、比較的低コストの印刷技法、及びそれ以外の従来のインクジェット印刷技法及びスクリーン印刷技法に好適な水性組成物として調合できるという点で、特に有益である。
【００２５】
電気化学式分析試験ストリップ１０は、（電極関連電極電圧検知接続部１４ｄ、１４ｅ、１４ｆ、関連する電極接続トラック１４ｇ、及び関連する手持ち式検査計を使用して、）種々の電極電圧を検知することができるように構成されている。電極自体で検知された電圧を使用して、有害な電圧降下を測定し、関連する手持ち式検査計からのバイアス駆動を増加させて、有害な電圧降下を補償することができる。これは、例えば、閉ループ誤差増幅回路（又は本明細書の他の箇所に記載のもの）を動的に使用すれば実行できる。
【００２６】
本発明の実施形態による、体液試料中の検体の判定において、電気化学式分析試験ストリップと共に使用するための手持ち式検査計は、ハウジングと、ハウジング内に少なくとも部分的に配設され、電気化学式分析試験ストリップを受容するように構成された、ストリップ口接続部と、ハウジング内に配設され、マイクロコントローラコマンド信号を発生させるように構成された、マイクロコントローラと、ハウジング内に配設され、マイクロコントローラコマンド信号に基づいて、バイアス駆動信号を発生させるように構成された、電極バイアス駆動回路ブロックと、ハウジング内に配設され、少なくとも１つの検知された電極電圧を受信し、少なくとも１つの検知された電極電圧に基づいて、電極バイアス駆動回路ブロックからのバイアス駆動信号を調節して、調節されたバイアス駆動信号を生成するように構成された、自動バイアス駆動調節回路ブロックと、を備える。
【００２７】
図３、図４、及び図５を参照して、手持ち式検査計１００は、ディスプレイ１０２と、複数のユーザインタフェースボタン１０４と、ストリップ口接続部１０６と、ＵＳＢインタフェース１０８と、ハウジング１１０と、を備える（図１を参照）。特に、図２を参照して、手持ち式検査計１００はまた、マイクロコントローラブロック１１２と、ハウジング内に配設され、マイクロコントローラコマンド信号に基づいて、バイアス駆動信号を発生させるように構成された、電極バイアス駆動回路ブロック１１４と、ハウジング内に配設され、少なくとも１つの検知された電極電圧を受信し、少なくとも１つの検知された電極電圧に基づいて、電極バイアス駆動回路ブロックからのバイアス駆動信号を調節して、調節されたバイアス駆動信号を生成するように構成された、自動バイアス駆動調節回路ブロック１１６と、電気的バイアス（例えば、交流［ＡＣ］及び／又は直流［ＤＣ］バイアス）を電気化学式分析試験ストリップ（図３及び図４においてＴＳと表示）に印加するための、かつ電気化学的反応（例えば、複数の試験電流値、フェーズ、及び／又は大きさ）を測定し、電気化学的反応に基づいて、検体又は特性を判定するための、（図示されていない）他の電子部品と、を備える。この説明を単純化するために、図は、すべてのそのような電子回路を示しているわけではない。
【００２８】
ディスプレイ１０２は、例えば、スクリーン画像を示すように構成された液晶ディスプレイ又は双安定性ディスプレイであり得る。体液試料中の検体の判定の間のスクリーン画像の例としては、グルコース濃度、日時、エラーメッセージ及びどのように試験を実行するかをユーザに指示するためのユーザインターフェースを挙げることができる。動作範囲試験ストリップシミュレーション回路ブロックの使用中のスクリーン画像の例は、手持ち式検査計動作範囲試験に合格したことを報告する画像、又は手持ち式検査計動作範囲試験でエラーが生じたことを報告する画像であり得る。
【００２９】
ストリップ口接続部１０６は、電気化学式分析試験ストリップＴＳ、例えば、全血試料中のヘマトクリット及び／又はグルコースの判定用に構成された電気化学式分析試験ストリップと動作可能にインタフェース接続するように構成されている。したがって、電気化学式分析試験ストリップは、ストリップ口接続部１０６への動作可能な挿入、及び、例えば、当業者に既知の好適な電気接点、配線、電気相互接続部又は別の構造を介してマイクロコントローラブロック１１２と動作可能にインタフェース接続するように構成されている。
【００３０】
ＵＳＢインタフェース１０８は、当業者に既知の任意の好適なインタフェースであり得る。ＵＳＢインタフェース１０８は、手持ち式検査計１００に電力を供給し、データラインを提供するように構成されている電気部品である。
【００３１】
マイクロコントローラブロック１１２はまた、分析試験ストリップの電気化学反応に基づく検体の判定のための、また、導入された体液試料の特性（例えば、ヘマトクリット）を判定するための好適なアルゴリズムを格納しているメモリサブブロックを含む。マイクロコントローラブロック１１２は、ハウジング１１０内に配設されていて、当業者に既知の任意の好適なマイクロコントローラ及び／又はマイクロプロセッサを含むことができる。好適なマイクロコントローラとしては、部品番号ＭＳＰ４３０シリーズのもとにＴｅｘａｓ  Ｉｎｓｔｒｕｍｅｎｔｓ（Ｄａｌｌａｓ，Ｔｅｘａｓ，ＵＳＡ）から市販されているもの、部品番号ＳＴＭ３２Ｆ及びＳＴＭ３２ＬシリーズでＳＴ  ＭｉｃｒｏＥｌｅｃｔｒｏｎｉｃｓ（Ｇｅｎｅｖａ，Ｓｗｉｔｚｅｒｌａｎｄ）から市販されているもの、部品番号ＳＡＭ４ＬシリーズでＡｔｍｅｌ  Ｃｏｒｐｏｒａｔｉｏｎ（Ｓａｎ  Ｊｏｓｅ，Ｃａｌｉｆｏｒｎｉａ，ＵＳＡ）から市販されているものが挙げられるが、これらに限定されない。
【００３２】
特に、図５を参照して、単一の作用電極及び関連する対向／基準電極のための、例示的であるが、非限定的な自動バイアス駆動調節回路ブロック１１６が、従来の電子部品のシンボルを使用して示されている。図５において、ＷＥは、作用電極であり、ＲＥＦは、対向／基準電極であり、Ｒは、抵抗を表わし、Ｕは、増幅器を表わす。自動バイアス駆動調節回路ブロック１１６は、概ね、閉ループ誤差増幅回路とみなすことができる。
【００３３】
ここで、手持ち式検査計１００の動作を、図３、図４、及び、特に、図５を参照して説明する。動作中、システムマイクロコントローラ１１２は、電極バイアス駆動回路ブロック１１４を介して（例えば、電極バイアス駆動回路ブロックとして機能するＤＡＣを介して）、バイアス駆動信号に対して必要なバイアスを指令する（図５参照）。Ｒｗｅ及びＲｒｅｆは、電極トラックにより誘導された回路における付加抵抗を表す。Ｕ３は、電極ＷＥの両端の実電圧の測定値を提供するゲインｘ１を有する差動増幅器である。Ｕ４は、指令されたバイアス駆動値に対して測定電極電圧を比較する誤差増幅器である。この誤差増幅器Ｕ４は、典型的には、高いゲイン（少なくとも１００）を有する。
【００３４】
Ｕ１は、例えば、Ｕ４の出力を使用して、電極（図５のＷＥ及びＲＥＦ）の両端のバイアスを駆動し、かつ作用電極ＷＥの電流を測定するトランスインピーダンス増幅器である。Ｕ４の駆動は、所要のバイアス駆動を事実上わずかに上回り、電極トラック抵抗にわたる電圧降下を補償している。作用電極ＷＥを通って流れる全電流は、ＲＦＢを通って押し進められるため、ＲＦＢの両端の電圧の実際の測定値は、作用電極の電流を示すことになる。最大の作用電極電流に応じて、ＲＦＢは、最大のＷＥ電流に対する最大のＡＤＣ入力を提供するようにスケーリングされる。値ＲＦＢは、例えば、炭素で形成されたパターン化導電層に対しておよそ１００Ｋオーム程度である。Ｕ２は、ゲインｘ１を有する差動増幅器であり、Ｕ１の出力に対してＲＦＢの両端の電圧の正確な測定値を提供する。その後、Ｕ１の出力は、システムマイクロコントローラのＡＤＣ入力に供給される。
【００３５】
本開示を知ると、当業者は、本発明の実施形態による手持ち式検査計に用いられた自動バイアス駆動回路ブロックが、図５に示す実施形態に限定されることなく、様々な形態をとることができることを理解するであろう。
【００３６】
本発明の好ましい実施形態を本明細書で図示し説明したが、このような実施形態は単に一例として与えられているものであることは当業者には明らかであろう。当業者であれば、本発明から逸脱することなく多くの変形、変更、及び代用が想到されるであろう。本発明の実施に際して、本明細書に記載される本発明の実施形態の様々な代替例が用いられ得る点を理解されたい。以下の「特許請求の範囲」は、本発明の範囲を定義すると共に、特許請求の範囲に含まれる装置及び組成物、並びにそれらの均等物をこれによって網羅することを目的としたものである。
【図１】
2019500610.tif 000003
【図２】
2019500610.tif 000004
【図３】
2019500610.tif 000005
【図４】
2019500610.tif 000006
【図５】
2019500610.tif 000007
【国際調査報告】
2019500610.tif 000008
2019500610.tif 000009